(57)【要約】  本発明は、第１のセルがキャリブレーション信号を送信する電力を調整するのに利用される信号調整方法及び装置並びにセルを提供する。当該方法は、第１のセルが、所定の電力で第２のセルにキャリブレーション信号を送信し、第２のセルが、第２のセルにより受信されるキャリブレーション信号の電力がリファレンス電力に一致するか判断し、第１のセルが、第２のセルにより返された判断結果を受信し、当該判断結果に従って、第２のセルにより受信されるキャリブレーション信号の電力がリファレンス電力に一致するように、キャリブレーション信号が送信される電力を調整することを有する。このような解決策を利用することによって、セルのジョイントキャリブレーションの処理について技術的サポートが提供され、複数のセルのジョイントキャリブレーションの正常な実現が保証される。
2016518093.tif 000002
【特許請求の範囲】
【請求項１】
第１のセルがキャリブレーション信号を送信する電力を調整するのに利用される信号調整方法であって、当該方法は、
前記第１のセルが、所定の電力で第２のセルにキャリブレーション信号を送信するステップであって、これにより、前記第２のセルが、前記第２のセルにより受信される前記キャリブレーション信号の電力がリファレンス電力に一致するか判断する、送信するステップと、
前記第１のセルが、前記第２のセルにより返された判断結果を受信し、前記第２のセルにより受信された前記キャリブレーション信号の電力が前記リファレンス電力に一致しないことを前記判断結果が示すとき、前記判断結果に従って、前記第２のセルにより受信される前記キャリブレーション信号の電力が前記リファレンス電力に一致するように、前記キャリブレーション信号が送信される電力を調整するステップと、
を有する方法。
【請求項２】
前記判断結果が電力調整指示を有する場合、前記判断結果に従って、前記キャリブレーション信号が送信される電力を調整するステップは、
前記第１のセルが、前記電力調整指示及び所定のステップサイズに従って、前記第２のセルにより受信される前記キャリブレーション信号の電力が前記リファレンス電力に一致するまで、前記キャリブレーション信号が送信される電力を徐々に調整するステップを有する、請求項１記載の方法。
【請求項３】
前記判断結果が電力調整指示及び調整数値を有する場合、前記判断結果に従って、前記キャリブレーション信号が送信される電力を調整するステップは、
前記第１のセルが、前記電力調整指示及び前記調整数値に従って、前記キャリブレーション信号が送信される電力を調整するステップを有する、請求項１記載の方法。
【請求項４】
前記第１のセルが、前記キャリブレーション信号が送信される電力を調整する方式は、
減衰器を利用することによって、前記キャリブレーション信号が送信される電力を調整すること、及び／又は、デジタル領域におけるベースバンド信号を利用することによって、前記キャリブレーション信号が送信される電力を調整することである、請求項１乃至３何れか一項記載の方法。
【請求項５】
前記第２のセルが、前記第２のセルにより受信される前記キャリブレーション信号の電力がリファレンス電力に一致するか判断することは、
前記第２のセルのラジオ・リモート・ユニットが、前記キャリブレーション信号を受信し、前記第２のセルのベース・バンド・ユニットが、前記キャリブレーション信号の電力が前記リファレンス電力に一致するか判断することを有する、請求項１乃至４何れか一項記載の方法。
【請求項６】
前記第１のセルが、前記第２のセルにより返された判断結果を受信し、前記判断結果に従って、前記キャリブレーション信号が送信される電力を調整するステップは、
前記第１のセルのラジオ・リモート・ユニットが、前記判断結果を受信し、前記第１のセルのベース・バンド・ユニットが、前記判断結果に従って、前記キャリブレーション信号が送信される電力を調整するよう前記第１のセルの前記ラジオ・リモート・ユニットを制御するステップを有する、請求項１乃至４何れか一項記載の方法。
【請求項７】
第１のセルにより受信されるキャリブレーション信号の電力を調整するのに利用される信号調整方法であって、当該方法は、
前記第１のセルが、第２のセルにより送信されたキャリブレーション信号を受信するステップと、
前記第１のセルが、前記受信したキャリブレーション信号の電力を測定し、前記電力がリファレンス電力に一致するか判断し、前記電力が前記リファレンス電力に一致しない場合、前記第１のセルにより受信される前記キャリブレーション信号の電力が前記リファレンス電力に一致するように、前記第１のセルにより受信される前記キャリブレーション信号の電力を調整するステップと、
を有する方法。
【請求項８】
前記第１のセルにより受信される前記キャリブレーション信号の電力を調整するステップは、
前記第１のセルが、所定のステップサイズに従って、前記第１のセルにより受信される前記キャリブレーション信号の電力が前記リファレンス電力に一致するまで、前記第１のセルにより受信される前記キャリブレーション信号の電力を徐々に調整するステップを有する、請求項７記載の方法。
【請求項９】
前記第１のセルにより受信される前記キャリブレーション信号の電力を調整するステップは、
前記第１のセルが、前記受信したキャリブレーション信号の電力と前記リファレンス電力との間の差分を計算し、前記差分に従って、前記第１のセルにより受信される前記キャリブレーション信号の電力を調整するステップと有する、請求項７記載の方法。
【請求項１０】
前記第１のセルにより受信される前記キャリブレーション信号の電力を調整する方式は、
減衰器を利用することによって、前記受信したキャリブレーション信号の電力を調整することである、請求項７乃至９何れか一項記載の方法。
【請求項１１】
前記第１のセルが、前記受信したキャリブレーション信号の電力を測定し、前記電力がリファレンス電力に一致するか判断するステップは、
前記第１のセルのベース・バンド・ユニットが、前記第１のセルのラジオ・リモート・ユニットにより受信された前記キャリブレーション信号の電力を測定し、前記電力が前記リファレンス電力に一致するか判断するステップを有する、請求項７乃至１０何れか一項記載の方法。
【請求項１２】
前記第１のセルにより受信された前記キャリブレーション信号の電力を調整するステップは、
前記第１のセルのベース・バンド・ユニットが、前記受信したキャリブレーション信号の電力を調整するよう前記第１のセルのラジオ・リモート・ユニットを制御するステップを有する、請求項７乃至１０何れか一項記載の方法。
【請求項１３】
第１のセルがキャリブレーション信号を送信する電力を調整するよう構成される信号調整装置であって、当該装置は、送信ユニット、受信ユニット、制御ユニット及び調整ユニットを有し、
前記送信ユニットは、所定の電力で第２のセルにキャリブレーション信号を送信するよう構成され、これにより、前記第２のセルが、前記第２のセルにより受信される前記キャリブレーション信号の電力がリファレンス電力に一致するか判断し、
前記受信ユニットは、前記第２のセルにより返された判断結果を受信するよう構成され、
前記制御ユニットは、前記第２のセルにより受信された前記キャリブレーション信号の電力が前記リファレンス電力に一致しないことを前記受信ユニットにより受信された前記判断結果が示すとき、前記判断結果に従って、前記第２のセルにより受信される前記キャリブレーション信号の電力が前記リファレンス電力に一致するように、前記送信ユニットが前記キャリブレーション信号を送信する電力を調整するよう前記調整ユニットを制御するよう構成される装置。
【請求項１４】
前記判断結果が電力調整指示を有する場合、
前記制御ユニットは、具体的には、前記電力調整指示及び所定のステップサイズに従って、前記第２のセルにより受信される前記キャリブレーション信号の電力が前記リファレンス電力に一致するまで、前記送信ユニットが前記キャリブレーション信号を送信する電力を徐々に調整するよう前記調整ユニットを制御するよう構成される、請求項１３記載の装置。
【請求項１５】
前記判断結果が電力調整指示及び調整数値を有する場合、
前記制御ユニットは、具体的には、前記電力調整指示及び前記調整数値に従って、前記送信ユニットが前記キャリブレーション信号を送信する電力を調整するよう前記調整ユニットを制御するよう構成される、請求項１３記載の装置。
【請求項１６】
第１のセルにより受信されるキャリブレーション信号の電力を調整するよう構成される信号調整装置であって、当該装置は、受信ユニット、判断ユニット、制御ユニット及び調整ユニットを有し、
前記受信ユニットは、第２のセルにより送信されたキャリブレーション信号を受信するよう構成され、
前記判断ユニットは、前記受信ユニットにより受信された前記キャリブレーション信号の電力を測定し、前記電力がリファレンス電力に一致するか判断するよう構成され、
前記制御ユニットは、前記電力が前記リファレンス電力に一致しないと前記判断ユニットが判断すると、前記受信ユニットにより受信される前記キャリブレーション信号の電力が前記リファレンス電力に一致するように、前記受信ユニットにより受信される前記キャリブレーション信号の電力を調整するよう前記調整ユニットを制御するよう構成される装置。
【請求項１７】
前記制御ユニットは、具体的には、所定のステップサイズに従って、前記受信ユニットにより受信される前記キャリブレーション信号の電力が前記リファレンス電力に一致するまで、前記受信ユニットにより受信される前記キャリブレーション信号の電力を徐々に調整するよう前記調整ユニットを制御するよう構成される、請求項１６記載の装置。
【請求項１８】
前記制御ユニットは、具体的には、前記受信ユニットにより受信されたキャリブレーション信号の電力と前記リファレンス電力との間の差分を計算し、前記差分に従って、前記受信ユニットにより受信される前記キャリブレーション信号の電力を調整するよう前記調整ユニットを制御するよう構成される、請求項１６記載の装置。
【請求項１９】
セルであって、当該セルはベース・バンド・ユニット及び少なくとも１つのラジオ・リモート・ユニットを有し、前記ラジオ・リモート・ユニットはサービスチャネルを有し、前記サービスチャネルは他のセルと通信可能な外部インタフェースに対応し、
前記ラジオ・リモート・ユニットは更に電力調整モジュールを有し、前記電力調整モジュールは、何れかのラジオ・リモート・ユニットのものである外部インタフェースとサービスチャネルとの間に直列に接続され、
前記電力調整モジュールは、前記ベース・バンド・ユニットの制御の下、当該セルがキャリブレーション信号を送信する電力を調整するよう構成されるか、又は前記ベース・バンド・ユニットの制御の下、当該セルにより受信されるキャリブレーション信号の電力を調整するよう構成されるセル。
【請求項２０】
前記電力調整モジュールは、第１のスイッチ回路、第２のスイッチ回路及び電力調整サブモジュールを有し、
前記第１のスイッチ回路は、第１のブランチ回路を形成するために前記第２のスイッチ回路に直接接続され、前記第１のスイッチ回路は、第２のブランチ回路を形成するために前記電力調整サブモジュールを用いて前記第２のスイッチ回路に接続され、前記第１のスイッチ回路は更にサービスチャネルに接続され、前記第２のスイッチ回路は更に前記サービスチャネルに対応する外部インタフェースに接続される、請求項１９記載のセル。
【発明の詳細な説明】
【技術分野】
【０００１】
本発明は、通信技術の分野に関し、特に信号調整方法及び装置並びにセルに関する。
【背景技術】
【０００２】
多数の分散基地局アーキテクチャが３Ｇネットワークにおいて利用されている。ベース・バンド・ユニットＢＢＵ（Ｂａｓｅ  Ｂａｎｄ  Ｕｎｉｔ）及びラジオ・リモート・ユニットＲＲＵ（Ｒａｄｉｏ  Ｒｅｍｏｔｅ  Ｕｎｉｔ）が基地局に含まれてもよく、ここで、ＢＢＵ及びＲＲＵは光ファイバを利用することによって接続され、１つのＢＢＵが複数のＲＲＵに接続されてもよい。このようなＢＢＵ＋ＲＲＵマルチチャネル解決策は、大きな建物の屋内カバレッジの問題を効果的に解決することができる。
【０００３】
実際の適用の要求に従って、ＲＲＵは２つのタイプの無線周波数チャネルを有し、一方は、サービスチャネルとして参照され、サービス送信チャネル及びサービス受信チャネルを有する、通常サービス通信に利用される無線周波数チャネルであり、他方は、キャリブレーションチャネルとして参照され、キャリブレーション送信チャネル及びキャリブレーション受信チャネルを有する、サービスチャネルを校正するのに利用される無線周波数チャネルである。さらに、ＲＲＵのキャリブレーション処理は、２つのタイプ、単一のＲＲＵのセルフキャリブレーション及び複数のＲＲＵのジョイントキャリブレーションに分類されてもよい。単一のＲＲＵのセルフキャリブレーションは、システムセルにおける何れか２つの無線周波数チャネルの受信チャネルレスポンスに対する送信チャネルレスポンスの比が同じであることを保証する必要があり、複数のＲＲＵのジョイントキャリブレーションは、複数のシステムセルにおける何れか２つの無線周波数チャネルの受信チャネルレスポンスに対する送信チャネルレスポンスの比が同じであることを保証する必要がある。
【０００４】
複数のＲＲＵのジョイントキャリブレーションが実行されるとき、異なるタイプのＲＲＵについて異なる方式が利用される。キャリブレーションチャネルがＲＲＵの外部のキャリブレーションインタフェースに提供される場合、このようなタイプのＲＲＵは外部キャリブレーション機能を有するＲＲＵとして参照され、この場合、外部キャリブレーション機能を有するＲＲＵは、ケーブル接続又は他の手段を用いることによって、キャリブレーションチャネル及びキャリブレーションインタフェースを介し他のＲＲＵとキャリブレーション信号を交換してもよく、これにより、複数のＲＲＵのジョイントキャリブレーションを実現する。キャリブレーションチャネルがＲＲＵの外部のキャリブレーションインタフェースに提供されない場合、このようなタイプのＲＲＵは内部キャリブレーション機能を有するＲＲＵとして参照され、この場合、内部キャリブレーション機能を有するＲＲＵは、キャリブレーションチャネルを介し他のＲＲＵとキャリブレーション信号を直接交換することはできず、サービスチャネルを介してのみキャリブレーション信号を転送できる。しかしながら、キャリブレーションチャネルと比較して、サービスチャネルの送信チャネルは高い電力増幅を有し、受信チャネルは低いノイズ増幅を有する。従って、転送中、キャリブレーション信号は２つの処理、すなわち、高電力増幅処理及び低ノイズ増幅処理において処理され、これにより、ジョイントキャリブレーションは以下の問題を有することになる。
【０００５】
異なるＲＲＵのアンテナ間の低いアイソレーションのシナリオについて、受信したキャリブレーション信号が過剰に大きいケースが生じるかもしれず、これにより、無線周波数フロントエンドが飽和するか、又は、高いアイソレーションのシナリオでは、受信キャリブレーション信号が過剰に小さいケースが生じるかもしれず、これにより、キャリブレーション信号は圧倒される。すなわち、内部キャリブレーション機能を有するＲＲＵがジョイントキャリブレーションを実行するとき、受信されるキャリブレーション信号の強度に対して高い要求があり、過剰に大きな信号と過剰に小さな信号との双方がキャリブレーション信号の正常な受信に影響を与え、最終的に複数のＲＲＵのジョイントキャリブレーションの実現に影響を与える。
【発明の概要】
【０００６】
本発明の実施例による信号調整方法及び装置並びにセルは、信号の電力を調整することによってラジオ・リモート・ユニットのジョイントキャリブレーションの正常な実現を保証するのに利用される。
【０００７】
従って、本発明の実施例は以下の技術的解決策を提供する。
【０００８】
第１の態様によると、本発明の実施例は、第１のセルがキャリブレーション信号を送信する電力を調整するのに利用される信号調整方法であって、当該方法は、
前記第１のセルが、所定の電力で第２のセルにキャリブレーション信号を送信するステップであって、これにより、前記第２のセルが、前記第２のセルにより受信される前記キャリブレーション信号の電力がリファレンス電力に一致するか判断する、送信するステップと、
前記第１のセルが、前記第２のセルにより返された判断結果を受信し、前記第２のセルにより受信された前記キャリブレーション信号の電力が前記リファレンス電力に一致しないことを前記判断結果が示すとき、前記判断結果に従って、前記第２のセルにより受信される前記キャリブレーション信号の電力が前記リファレンス電力に一致するように、前記キャリブレーション信号が送信される電力を調整するステップと、
を有する方法を提供する。
【０００９】
第１の態様の第１の可能な実現方式では、前記判断結果が電力調整指示を有する場合、前記判断結果に従って、前記キャリブレーション信号が送信される電力を調整するステップは、
前記第１のセルが、前記電力調整指示及び所定のステップサイズに従って、前記第２のセルにより受信される前記キャリブレーション信号の電力が前記リファレンス電力に一致するまで、前記キャリブレーション信号が送信される電力を徐々に調整するステップを有する。
【００１０】
第１の態様の第２の可能な実現方式では、前記判断結果が電力調整指示及び調整数値を有する場合、前記判断結果に従って、前記キャリブレーション信号が送信される電力を調整するステップは、
前記第１のセルが、前記電力調整指示及び前記調整数値に従って、前記キャリブレーション信号が送信される電力を調整するステップを有する。
【００１１】
第１の態様及び第１の態様の第１又は第２の可能な実現方式を参照して、第３の可能な実現方式では、前記第１のセルが、前記キャリブレーション信号が送信される電力を調整する方式は、
減衰器を利用することによって、前記キャリブレーション信号が送信される電力を調整すること、及び／又は、デジタル領域におけるベースバンド信号を利用することによって、前記キャリブレーション信号が送信される電力を調整することである。
【００１２】
第１の態様及び第１の態様の第１〜第３の可能な実現方式の何れか１つを参照して、第４の可能な実現方式では、前記第２のセルが、前記第２のセルにより受信される前記キャリブレーション信号の電力がリファレンス電力に一致するか判断することは、
前記第２のセルのラジオ・リモート・ユニットが、前記キャリブレーション信号を受信し、前記第２のセルのベース・バンド・ユニットが、前記キャリブレーション信号の電力が前記リファレンス電力に一致するか判断することを有する。
【００１３】
第１の態様及び第１の態様の第１〜第３の可能な実現方式の何れか１つを参照して、第５の可能な実現方式では、前記第１のセルが、前記第２のセルにより返された判断結果を受信し、前記判断結果に従って、前記キャリブレーション信号が送信される電力を調整するステップは、
前記第１のセルのラジオ・リモート・ユニットが、前記判断結果を受信し、前記第１のセルのベース・バンド・ユニットが、前記判断結果に従って、前記キャリブレーション信号が送信される電力を調整するよう前記第１のセルの前記ラジオ・リモート・ユニットを制御するステップを有する。
【００１４】
第２の態様によると、本発明の実施例は、第１のセルにより受信されるキャリブレーション信号の電力を調整するのに利用される信号調整方法であって、当該方法は、
前記第１のセルが、第２のセルにより送信されたキャリブレーション信号を受信するステップと、
前記第１のセルが、前記受信したキャリブレーション信号の電力を測定し、前記電力がリファレンス電力に一致するか判断し、前記電力が前記リファレンス電力に一致しない場合、前記第１のセルにより受信される前記キャリブレーション信号の電力が前記リファレンス電力に一致するように、前記第１のセルにより受信される前記キャリブレーション信号の電力を調整するステップと、
を有する方法を提供する。
【００１５】
第２の態様の第１の可能な実現方式では、前記第１のセルにより受信される前記キャリブレーション信号の電力を調整するステップは、
前記第１のセルが、所定のステップサイズに従って、前記第１のセルにより受信される前記キャリブレーション信号の電力が前記リファレンス電力に一致するまで、前記第１のセルにより受信される前記キャリブレーション信号の電力を徐々に調整するステップを有する。
【００１６】
第２の態様の第２の可能な実現方式では、前記第１のセルにより受信される前記キャリブレーション信号の電力を調整するステップは、
前記第１のセルが、前記受信したキャリブレーション信号の電力と前記リファレンス電力との間の差分を計算し、前記差分に従って、前記第１のセルにより受信される前記キャリブレーション信号の電力を調整するステップと有する。
【００１７】
第２の態様及び第２の態様の第１又は第２の可能な実現方式を参照して、第３の可能な実現方式では、前記第１のセルにより受信される前記キャリブレーション信号の電力を調整する方式は、
減衰器を利用することによって、前記受信したキャリブレーション信号の電力を調整することである。
【００１８】
第２の態様及び第２の態様の第１〜第３の可能な実現方式の何れか１つを参照して、第４の可能な実現方式では、前記第１のセルが、前記受信したキャリブレーション信号の電力を測定し、前記電力がリファレンス電力に一致するか判断するステップは、
前記第１のセルのベース・バンド・ユニットが、前記第１のセルのラジオ・リモート・ユニットにより受信された前記キャリブレーション信号の電力を測定し、前記電力が前記リファレンス電力に一致するか判断するステップを有する。
【００１９】
第２の態様及び第２の態様の第１〜第３の可能な実現方式を参照して、第５の可能な実現方式では、前記第１のセルにより受信された前記キャリブレーション信号の電力を調整するステップは、
前記第１のセルのベース・バンド・ユニットが、前記受信したキャリブレーション信号の電力を調整するよう前記第１のセルのラジオ・リモート・ユニットを制御するステップを有する。
【００２０】
第３の態様によると、本発明の実施例は、第１のセルがキャリブレーション信号を送信する電力を調整するよう構成される信号調整装置であって、当該装置は、送信ユニット、受信ユニット、制御ユニット及び調整ユニットを有し、
前記送信ユニットは、所定の電力で第２のセルにキャリブレーション信号を送信するよう構成され、これにより、前記第２のセルが、前記第２のセルにより受信される前記キャリブレーション信号の電力がリファレンス電力に一致するか判断し、
前記受信ユニットは、前記第２のセルにより返された判断結果を受信するよう構成され、
前記制御ユニットは、前記第２のセルにより受信された前記キャリブレーション信号の電力が前記リファレンス電力に一致しないことを前記受信ユニットにより受信された前記判断結果が示すとき、前記判断結果に従って、前記第２のセルにより受信される前記キャリブレーション信号の電力が前記リファレンス電力に一致するように、前記送信ユニットが前記キャリブレーション信号を送信する電力を調整するよう前記調整ユニットを制御するよう構成される装置を提供する。
【００２１】
第３の態様の第１の可能な実現方式では、前記判断結果が電力調整指示を有する場合、
前記制御ユニットは、具体的には、前記電力調整指示及び所定のステップサイズに従って、前記第２のセルにより受信される前記キャリブレーション信号の電力が前記リファレンス電力に一致するまで、前記送信ユニットが前記キャリブレーション信号を送信する電力を徐々に調整するよう前記調整ユニットを制御するよう構成される。
【００２２】
第３の態様の第２の可能な実現方式では、前記判断結果が電力調整指示及び調整数値を有する場合、
前記制御ユニットは、具体的には、前記電力調整指示及び前記調整数値に従って、前記送信ユニットが前記キャリブレーション信号を送信する電力を調整するよう前記調整ユニットを制御するよう構成される。
【００２３】
第４の態様によると、本発明の実施例は、第１のセルにより受信されるキャリブレーション信号の電力を調整するよう構成される信号調整装置であって、当該装置は、受信ユニット、判断ユニット、制御ユニット及び調整ユニットを有し、
前記受信ユニットは、第２のセルにより送信されたキャリブレーション信号を受信するよう構成され、
前記判断ユニットは、前記受信ユニットにより受信された前記キャリブレーション信号の電力を測定し、前記電力がリファレンス電力に一致するか判断するよう構成され、
前記制御ユニットは、前記電力が前記リファレンス電力に一致しないと前記判断ユニットが判断すると、前記受信ユニットにより受信される前記キャリブレーション信号の電力が前記リファレンス電力に一致するように、前記受信ユニットにより受信される前記キャリブレーション信号の電力を調整するよう前記調整ユニットを制御するよう構成される装置を提供する。
【００２４】
第４の態様の第１の可能な実現方式では、前記制御ユニットは、具体的には、所定のステップサイズに従って、前記受信ユニットにより受信される前記キャリブレーション信号の電力が前記リファレンス電力に一致するまで、前記受信ユニットにより受信される前記キャリブレーション信号の電力を徐々に調整するよう前記調整ユニットを制御するよう構成される。
【００２５】
第４の態様の第２の可能な実現方式では、前記制御ユニットは、具体的には、前記受信ユニットにより受信されたキャリブレーション信号の電力と前記リファレンス電力との間の差分を計算し、前記差分に従って、前記受信ユニットにより受信される前記キャリブレーション信号の電力を調整するよう前記調整ユニットを制御するよう構成される。
【００２６】
第５の態様によると、本発明の実施例は、セルであって、当該セルはベース・バンド・ユニット及び少なくとも１つのラジオ・リモート・ユニットを有し、前記ラジオ・リモート・ユニットはサービスチャネルを有し、前記サービスチャネルは他のセルと通信可能な外部インタフェースに対応し、
前記ラジオ・リモート・ユニットは更に電力調整モジュールを有し、前記電力調整モジュールは、何れかのラジオ・リモート・ユニットのものである外部インタフェースとサービスチャネルとの間に直列に接続され、
前記電力調整モジュールは、前記ベース・バンド・ユニットの制御の下、当該セルがキャリブレーション信号を送信する電力を調整するよう構成されるか、又は前記ベース・バンド・ユニットの制御の下、当該セルにより受信されるキャリブレーション信号の電力を調整するよう構成されるセルを提供する。
【００２７】
第５の態様の第１の可能な実現方式では、前記電力調整モジュールは、第１のスイッチ回路、第２のスイッチ回路及び電力調整サブモジュールを有し、
前記第１のスイッチ回路は、第１のブランチ回路を形成するために前記第２のスイッチ回路に直接接続され、前記第１のスイッチ回路は、第２のブランチ回路を形成するために前記電力調整サブモジュールを用いて前記第２のスイッチ回路に接続され、前記第１のスイッチ回路は更にサービスチャネルに接続され、前記第２のスイッチ回路は更に前記サービスチャネルに対応する外部インタフェースに接続される。
【００２８】
本発明の実施例により提供される信号調整方法及び装置並びにセルによると、受信端により期待されるリファレンス電力が判断基準として利用され、送信端におけるＲＲＵがキャリブレーション信号を送信する電力を調整するか、又は受信端におけるＲＲＵにより受信されるキャリブレーション信号の電力を調整することによって、複数のＲＲＵのジョイントキャリブレーションの以降の処理を正常に実行するため、受信端が送信端により送信されたチャネルキャリブレーション信号を正常に受信可能であることが保証される。
【図面の簡単な説明】
【００２９】
本発明の実施例又は従来技術における技術的解決策をより明確に説明するため、以下は、実施例又は従来技術を説明するのに必要な添付図面を簡単に紹介する。明らかに、以下の説明における添付図面は、本出願に記録された単なる一部の実施例を示し、当業者は、これらの添付図面から他の図面を依然として導出してもよい。
【図１】図１は、本発明による信号調整方法の実施例１のフローチャートである。
【図２】図２は、本発明による信号調整方法の実施例２のフローチャートである。
【図３】図３は、本発明によるラジオ・リモート・ユニットの概略的な構成図である。
【図４】図４は、本発明による信号調整方法の実施例３のフローチャートである。
【図５】図５は、本発明による信号調整装置の実施例１の概略図である。
【図６】図６は、本発明による信号調整装置の実施例２の概略図である。
【図７】図７は、本発明による信号調整装置の実施例３の概略図である。
【図８】図８は、本発明による信号調整装置の実施例１のハードウェア構成の概略図である。
【図９】図９は、本発明による信号調整装置の実施例２のハードウェア構成の概略図である。
【図１０】図１０は、本発明による信号調整装置の実施例３のハードウェア構成の概略図である。
【発明を実施するための形態】
【００３０】
当業者が本発明における解決策をより良く理解することを可能にするため、以下は、添付した図面及び実現方式を参照して本発明の実施例をより詳細に説明する。
【００３１】
以下はまず、本発明の技術的解決策の特定の適用シナリオを簡潔に紹介する。
【００３２】
時分割複信ＴＤＤ（Ｔｉｍｅ  Ｄｉｖｉｓｉｏｎ  Ｄｕｐｌｅｘ）システムでは、ダウンリンクチャネルの状態を知るため、基地局はまず、ユーザ装置により送信されるサウンディングリファレンス信号ＳＲＳ（Ｓｏｕｎｄｉｎｇ  Ｒｅｆｅｒｅｎｃｅ  Ｓｉｇｎａｌ）を検出することによってアップリンクチャネルを推定してもよく、それからＴＤＤシステムのアップリンクとダウンリンクとの間のレシプロシティに従って、推定されたアップリンクチャネルをビームフォーミングのためダウンリンクチャネルとして利用する。ＴＤＤシステムのアップリンク及びダウンリンクは理論的に互恵的であるが、実際の適用では、アップリンク及びダウンリンクチャネルは、基地局の異なる無線周波数チャネルを別々に導入し、これらの無線周波数チャネルのレスポンスは異なる。何れか２つの無線周波数チャネルの受信チャネルレスポンスに対する送信チャネルレスポンスの比が異なる場合、最終的な送信効果に影響を及ぼす。従って、各無線周波数チャネルは補償される必要があり、すなわち、チャネルキャリブレーションが実行される必要がある。
【００３３】
協調多地点送信ＣｏＭＰ（Ｃｏｏｒｄｉｎａｔｅｄ  Ｍｕｌｔｉ−Ｐｏｉｎｔ）は、ロング・ターム・エボリューションＬＴＥ（Ｌｏｎｇ  Ｔｅｒｍ  Ｅｖｏｌｕｔｉｏｎ）システムのキーとなる特性であり、少なくとも１つの基地局セルがＬＴＥシステムの基地局側に含まれてもよく、各基地局セルは、ベース・バンド・ユニットＢＢＵ（Ｂａｓｅ  Ｂａｎｄ  Ｕｎｉｔ）及びＢＢＵに接続される複数のラジオ・リモート・ユニットＲＲＵ（Ｒａｄｉｏ  Ｒｅｍｏｔｅ  Ｕｎｉｔ）を有する。ＣｏＭＰ技術の１つとして、ジョイント送信ＪＴ（Ｊｏｉｎｔ  Ｔｒａｎｓｍｉｓｓｉｏｎ）技術は、セルエッジユーザのクオリティ・オブ・サービス及び平均スループットを有意に向上させることができる。ＪＴ技術によってＴＤＤシステムにもたらされる利益を実現するため、チャネルキャリブレーションがまた実行される必要がある。単一セルビームフォーミング技術と異なって、ＪＴ技術は、複数のセルのアンテナに対応する無線周波数送信チャネルレスポンスと無線周波数受信チャネルレスポンスとの比が同じであることを必要とする。チャネルキャリブレーションが各セルにおいて別々に実行される場合でさえ、ＪＴ技術は、セル間のキャリブレーションが実行されない場合には、期待される性能を実現できず、すなわち、複数のＲＲＵのジョイントキャリブレーションが実行される必要がある。
【００３４】
複数のＲＲＵのジョイントキャリブレーションが実行されるとき、キャリブレーション信号が何れか２つのＲＲＵの間で転送される。内部キャリブレーション機能を有し、キャリブレーションインタフェースを有さないＲＲＵについて、キャリブレーション信号が送信されると、高電力増幅が、送信端においてＲＲＵのサービスチャネルによりキャリブレーション信号に対して実行される必要があり、キャリブレーション信号が受信されると、低ノイズ増幅が、受信端においてＲＲＵのサービスチャネルによりキャリブレーション信号に対して実行される必要がある。以降のジョイントキャリブレーション処理の信頼できる実現を保証するため、高電力増幅及び低ノイズ増幅の後のキャリブレーション信号の電力が受信端においてＲＲＵの期待を充たすことが必要とされ、すなわち、電力はリファレンス電力に一致しなければならず、そうでない場合、以降のジョイントキャリブレーション処理は実現できない。
【００３５】
本発明の信号調整方法が、上記の問題を解決するため提供され、以下は、本発明の技術的解決策の特定の実現を説明する。
【００３６】
図１を参照して、図１は、本発明による信号調整方法の実施例１のフローチャートである。当該方法は主として、キャリブレーション信号の送信端の観点から、信号調整処理を実現する方法を説明し、すなわち、当該方法は主として、第１のセルがキャリブレーション信号を送信する電力を調整するのに利用される。当該方法は以下を有する。
【００３７】
ステップ１０１：第１のセルが、所定の電力で第２のセルにキャリブレーション信号を送信し、これにより、第２のセルが、第２のセルにより受信されるキャリブレーション信号の電力がリファレンス電力に一致するか判断する。
【００３８】
上記の説明から、複数のＲＲＵのジョイントキャリブレーションが実行されると、キャリブレーション信号は２つのセルの間で転送される必要があることが知られてもよい。ここで、キャリブレーション信号を送信するセルは第１のセルとして定義されてもよく、キャリブレーション信号を受信するセルは第２のセルとして定義されてもよい。本実施例では、第１のセルがキャリブレーション信号を送信する電力を調整する観点から、第２のセルにより受信されるキャリブレーション信号の電力は、以降のジョイントキャリブレーション処理を実現するため、最終的にリファレンス電力に一致することが可能とされる。
【００３９】
さらに、以下の定義がなされてもよく、具体的には、送信動作を実行する第１のセルにおけるＲＲＵが第１のＲＲＵとして定義され、第１のＲＲＵに接続されるＢＢＵが第１のＢＢＵとして定義され、具体的には、受信動作を実行する第２のセルにおけるＲＲＵが第２のＲＲＵとして定義され、第２のＲＲＵに接続されるＢＢＵが第２のＢＢＵとして定義される。本ステップの特定の実現処理は以下である。
【００４０】
キャリブレーションが必要とされるとき、第１のＢＢＵは、所定の電力で第２のＲＲＵにキャリブレーション信号を送信するよう第１のＲＲＵを制御し、キャリブレーション信号は、第１のＲＲＵに対応するアンテナを利用することによって送信され、無線インタフェースを介し送信され、第２のＲＲＵのアンテナによって最終的に受信される。それから、第２のＢＢＵは、第２のＲＲＵにより受信されたキャリブレーション信号の電力を決定し、当該電力を期待されるリファレンス電力と比較する。当該電力が期待されるリファレンス電力に一致する場合、第２のセルは当該電力の信号を利用することによってジョイントキャリブレーションを実行可能であり、第１のＲＲＵの送信電力は調整される必要がないとみなされる。当該電力が期待されるリファレンス電力に一致しない場合、第２のセルは当該電力の信号を利用することによってジョイントキャリブレーションを実行可能でなく、第１のＲＲＵの送信電力は調整される必要があるとみなされる。この場合、第２のＢＢＵは、第１のＲＲＵの送信電力を調整するため、信号調整が実行される必要があることを示す判断結果を第１のＲＲＵにフィードバックするよう第２のＲＲＵを制御する。
【００４１】
以下は更に、具体例を利用することによって本ステップを説明する。第１のＲＲＵがキャリブレーション信号を送信する所定の電力が４０ｄＢであり、無線インタフェースの送信処理における信号損失が７０ｄＢである（ただし、無線インタフェース損失は２つのＲＲＵの間のアイソレーションであり、２つのＲＲＵの設置が完了した後、無線インタフェース損失は基本的に変化しない）と仮定すると、理論的には、第２のＲＲＵにより受信されるキャリブレーション信号の電力は−３０ｄＢである。リファレンス電力が−６０ｄＢである場合、第２のＲＲＵにより受信されるキャリブレーション信号の電力とリファレンス電力との間には−３０ｄＢの差があり、明らかに、第２のＲＲＵにより受信されるキャリブレーション信号の電力はリファレンス電力に一致しない。従って、第２のＲＲＵは、電力がリファレンス電力に一致しないことを示す判断結果信号を第１のＲＲＵに返す。
【００４２】
本発明において一致するとは、第２のＲＲＵにより受信されるキャリブレーション信号の電力がリファレンス電力に従って決定される閾値範囲内にあり、必ずしもリファレンス電力に厳密に等しい必要はないこととして理解されうることに留意すべきである。おそらく、高い精度を必要とするいくつかのケースでは、電力がリファレンス電力に一致することを示す判断結果は、キャリブレーション信号の電力がリファレンス電力に等しいときに限って生成されることがまた指定されてもよく、本発明では限定されない。
【００４３】
ステップ１０２：第１のセルが、第２のセルにより返された判断結果を受信し、第２のセルにより受信されたキャリブレーション信号の電力がリファレンス電力に一致しないことを判断結果が示すとき、判断結果に従って、第２のセルにより受信されるキャリブレーション信号の電力がリファレンス電力に一致するように、キャリブレーション信号が送信される電力を調整する。
【００４４】
第１のＲＲＵは、第２のＲＲＵによりフィードバックされた判断結果を第１のＢＢＵに転送する。電力がリファレンス電力に一致しないことを判断結果が示す場合、第１のＢＢＵは、判断結果に従って、第１のＲＲＵがキャリブレーション信号を送信する電力を調整し、第２のセルにより受信されたキャリブレーション信号の電力は、リファレンス電力に一致することが最終的に可能とされる。
【００４５】
第１のＢＢＵが判断結果に従って第１のＲＲＵの送信電力を調整する方式は、ここでは詳細には説明されない。
【００４６】
第２のＲＲＵによりフィードバックされる判断結果は以下の２つの意味を有しうることが留意されるべきである。
【００４７】
一方は、電力がリファレンス電力に一致しているか否かに関わらず、第２のＲＲＵが第１のＲＲＵに判断結果をフィードバックするということである。対応して、判断結果を受信した後、第１のＢＢＵは、電力がリファレンス電力に一致していることを判断結果が示すかどうかまず特定する必要があり、すなわち、第１のＲＲＵがキャリブレーション信号を送信する電力が調整される必要があるか第１のＢＢＵが判断し、それから、第１のＢＢＵは以降の処理を実行する。
【００４８】
他方は、電力がリファレンス電力に一致しない場合に限って、第２のＲＲＵが第１のＲＲＵに判断結果をフィードバックするということである。すなわち、第１のＢＢＵが判断結果を受信すると、第１のＢＢＵは、第１のＲＲＵの送信電力を調整する処理を直接開始することができる。
【００４９】
第２のＲＲＵによる判断結果をフィードバックする方式は、電力が調整される必要があるとき、第１のセルが送信電力を調整する処理を開始するよう正確に制御可能である限り、本発明では限定されない。
【００５０】
さらに、本実施例におけるキャリブレーション信号は、信号電力を校正するのに利用される信号、すなわち、一般的な意味における何れかのリファレンス信号として理解されてもよいか、又は、ジョイントキャリブレーションを実行するのに利用されるチャネルキャリブレーション信号として理解されてもよいことが留意されるべきである。しかしながら、何れか特定のタイプの信号が利用されるかに関わらず、本実施例において信号電力を調整する課題が実現可能であり、相違は以下である。
【００５１】
キャリブレーション信号が何れかのリファレンス信号である場合、第２のセルの期待を充たす送信電力を決定した後、第１のＢＢＵは更に、ジョイントキャリブレーションを実行するのに利用されるチャネルキャリブレーション信号を、決定された送信電力で第２のＲＲＵに１回送信するよう第１のＲＲＵを制御する必要がある。すなわち、電力がリファレンス電力に一致すると判断した後、第２のＢＢＵは、第１のＲＲＵに信号をフィードバックするよう第２のＲＲＵを制御する必要があり、これにより、第１のＲＲＵはジョイントキャリブレーション処理を開始し、決定された電力でチャネルキャリブレーション信号を第２のＲＲＵに送信する。
【００５２】
キャリブレーション信号がチャネルキャリブレーション信号である場合、電力がリファレンス電力に一致すると判断した後、第２のＢＢＵは、期待を充たす信号を利用することによって、以降のジョイントキャリブレーション処理を直接実行可能であり、第１のＲＲＵに通知する必要はなく、信号調整処理をある程度簡単化することができる。さらに、リファレンス信号とチャネルキャリブレーション信号との間に相違があるため、以降のジョイントキャリブレーション処理を実行するのに利用されるチャネルキャリブレーション信号を直接利用することによって信号調整を実行することは、決定された電力調整量の有効性及び精度を保証できる。
【００５３】
本発明の信号調整方法によると、キャリブレーション信号を受信する第２のセルは、第１のセルにより送信されるキャリブレーション信号が第２のセルの使用要求を充たすか判断し、第１のセルに判断結果をフィードバックし、必要に応じて第１のセルの送信電力をタイムリ且つ正確な方式で調整するよう第１のセルを制御し、ジョイントキャリブレーションが実行されるとき、第２のセルは第１のセルにより送信されたチャネルキャリブレーション信号を正確に受信及び特定できることを保証し、これにより、複数のＲＲＵのジョイントキャリブレーションの処理を実現する。
【００５４】
外部キャリブレーション機能を有するＲＲＵがキャリブレーションポートを利用することによってジョイントキャリブレーションを実行せず、サービスアンテナを利用することによって（すなわち、サービスチャネルを介し）ジョイントキャリブレーションを実行する場合、外部キャリブレーション機能を有する複数のＲＲＵのジョイントキャリブレーションの処理の正常な実現がまた、本発明の解決策を利用することによって保証できることが留意されるべきである。
【００５５】
以下は、本実施例におけるステップ１０２での判断結果に従って第１のＲＲＵの送信電力を調整する方式を説明する。
【００５６】
判断結果に含まれる異なるコンテンツに従って、本発明は、送信電力を調整するための以下の２つの方式を提供する。
【００５７】
方式１：判断結果が電力調整指示を有する場合、第１のＲＲＵの送信電力は、電力調整指示及び所定のステップサイズに従って、第２のセルにより受信されるキャリブレーション信号の電力がリファレンス電力に一致するまで、徐々に調整され、すなわち、送信電力は漸進的な方式で調整される。電力調整通知は、具体的には、電力増加指示又は電力低下指示として実現されてもよい。
【００５８】
所定の調整ステップサイズが１０ｄＢであると仮定すると、具体例として−３０ｄＢの差分がある具体例を依然として利用することによって、特定の調整処理は以下である。
【００５９】
（１）第２のＢＢＵは、電力低下指示を含む判断結果を第１のＲＲＵにフィードバックするよう第２のＲＲＵを制御する。判断結果を受信した後、第１のＲＲＵは即座に、特定のため判断結果を第１のＢＢＵに転送する。第１のＢＢＵはまず、第１のＢＢＵが第１のＲＲＵの送信電力を現在調整する必要があると判断し、それから、低下指示の動作の下、所定のステップサイズに従って第１のＲＲＵの所定の送信電力を調整するよう第１のＲＲＵを制御する。１回の調整後、第１のＲＲＵの送信電力は、４０ｄＢ−１０ｄＢ＝３０ｄＢである。
【００６０】
（２）第１のＢＢＵは、調整後に取得される３０ｄＢの電力でキャリブレーション信号を送信するよう第１のＲＲＵを制御し、ここで、無線インタフェースを介し送信され、第２のＲＲＵにより受信された後、キャリブレーション信号の電力は３０ｄＢ−７０ｄＢ＝−４０ｄＢである。−６０ｄＢのリファレンス電力と比較して、依然として−２０ｄＢの差分がある。従って、第２のＢＢＵは、電力低下指示を含む判断結果を第１のＲＲＵにフィードバックし続けるよう第２のＲＲＵを制御する。
【００６１】
（３）判断結果を受信した後、第１のＲＲＵは、第１のＢＢＵの制御の下、１０ｄＢのステップサイズに従って第１のＲＲＵの送信電力を低下し続け、第２のＢＢＵによる判断のため、２回目の調整後に取得された２０ｄＢの電力でキャリブレーション信号を送信する。本例では、判断後、第２のＢＢＵは依然として、第２のＲＲＵにより受信されたキャリブレーション信号の電力が期待を充たさないとみなし、従って、第２のＢＢＵは更に、電力低下指示を含む判断結果を第１のＲＲＵにフィードバックし続けるよう第２のＲＲＵを制御する。当該処理は、第２のＲＲＵにより受信されるキャリブレーション信号の電力がリファレンス電力に一致すると第２のＢＢＵが判断するまで、繰り返し実行される。
【００６２】
本例では、第２のセルの要求は、３回の調整を実行するよう第１のＲＲＵを単に制御することによって充足可能である。
【００６３】
（４）第３の調整処理では、第１のＲＲＵの送信電力は１０ｄＢに調整される。無線インタフェースを介した送信後は７０ｄＢの損失があるため、第２のＲＲＵにより受信されるとき、キャリブレーション信号は−６０ｄＢの電力を有し、これはリファレンス電力に等しい。従って、本発明の信号調整処理は終了する。ジョイントキャリブレーションが実行されるとき、第１のＲＲＵは、１０ｄＢの電力で第２のＲＲＵにチャネルキャリブレーション信号を送信してもよい。
【００６４】
信号電力がこの方式で調整されるとき、高い信号調整速度が必要とされる場合、相対的に大きな調整ステップサイズが設定されてもよく、高い信号調整精度が必要とされる場合、相対的に小さな調整ステップサイズが設定されてもよいことが留意されるべきである。ユーザは、実際の使用に従って調整ステップサイズをフレキシブルに設定してもよく、本発明では限定されない。
【００６５】
方式２：判断結果が電力調整指示及び調整数値を有する場合、第１のＲＲＵがキャリブレーション信号を送信する電力は、電力調整指示及び調整数値に従って調整されてもよい。電力調整指示は、具体的には、電力増加指示又は電力低下指示として実現されてもよく、調整数値は、第２のＢＢＵにより計算を通じて取得される。
【００６６】
具体例として−３０ｄＢの差分がある具体例を依然として利用することによって、特定の調整処理は以下である。
【００６７】
（１）第１のＲＲＵは、４０ｄＢの所定の電力で第２のＲＲＵにキャリブレーション信号を送信する。無線インタフェースを介した送信後に７０ｄＢの損失があるため、第２のＲＲＵにより受信されるとき、キャリブレーション信号は−３０ｄＢの電力を有する。明らかに、当該電力はリファレンス電力に一致せず、−６０ｄＢ−（−３０ｄＢ）＝−３０ｄＢの差分がある。従って、第２のＢＢＵは、判断結果における電力調整指示を電力低下指示に設定し、調整数値を３０ｄＢに設定し、それから、電力低下指示及び調整数値を第１のＲＲＵにフィードバックする。
【００６８】
（２）判断結果を受信した後、第１のＲＲＵは即座に、特定のため判断結果を第１のＢＢＵに転送する。同様に、第１のＢＢＵはまず、第１のＢＢＵが第１のＲＲＵの送信電力を現在調整する必要があると判断し、それから、低下指示に従って所定の電力を３０ｄＢだけ低下するよう第１のＲＲＵを制御し、４０ｄＢ−３０ｄＢ＝１０ｄＢの低下した電力でキャリブレーション信号を送信する。このようにして、第２のセルにより受信されるキャリブレーション信号の電力は、第２のセルにより期待されるリファレンス電力に等しい。従って、本発明の信号調整処理は終了する。同様に、ジョイントキャリブレーションが実行されるとき、第１のＲＲＵは、１０ｄＢの電力でチャネルキャリブレーション信号を第２のＲＲＵに送信してもよい。
【００６９】
上記の具体例は、送信電力が低下される具体例を利用することによって説明される。実際の適用では、送信電力が増加される必要があるケースもあってもよい。送信電力を増加させる方式は、電力調整指示が電力増加指示に設定されることを除き、送信電力を低下させる方式と同じであり、ここでは詳細は再説明されない。
【００７０】
第１のＢＢＵが第１のＲＲＵの送信電力を調整する方式は、減衰器を調整することによって、第１のＲＲＵがキャリブレーション信号を送信する電力を調整すること、及び／又は、デジタル領域におけるベースバンド信号の電力を調整することによって、第１のＲＲＵがキャリブレーション信号を送信する電力を調整することとして実現されてもよいことが留意されるべきである。デジタル領域は、約１０ｄＢ〜２０ｄＢである小さな調整範囲を有し、送信電力がこの方式で低下したとき、信号歪みが生じない、すなわち、信号精度を確保しながら送信電力が調整される必要があることが保証される必要がある。比較的、減衰器は大きくてフレキシブルな調整範囲を有し、従って、送信電力は、好ましくは、減衰器を利用することによって調整されてもよい。あるいは、電力は２つの方式を合成することによって調整されてもよい。例えば、デジタル領域は１５ｄＢの調整範囲を有し、減衰器は６０ｄＢの調整範囲を有し、第２のＲＲＵにより第１のＲＲＵにフィードバックされる調整数値は−７５ｄＢである。従って、電力はデジタル領域及び減衰器を調整することによって調整可能である。
【００７１】
図２を参照して、図２は、本発明による信号調整方法の実施例２のフローチャートを示す。当該方法は、キャリブレーション信号の受信端の観点から、信号調整処理を実現する方法を主として説明し、すなわち、当該方法は、第１のセルにより受信されるキャリブレーション信号の電力を調整するのに主として利用される。当該方法は以下を有する。
【００７２】
ステップ２０１：第１のセルが、第２のセルにより送信されたキャリブレーション信号を受信する。
【００７３】
ステップ２０２：第１のセルは、受信したキャリブレーション信号の電力を測定し、当該電力がリファレンス電力に一致するか判断し、当該電力がリファレンス電力に一致しない場合、第１のセルにより受信されるキャリブレーション信号の電力がリファレンス電力に一致するように、第１のセルにより受信されるキャリブレーション信号の電力を調整する。
【００７４】
図１に示される方法の実施例１と同様に、本実施例が実現されるとき、キャリブレーション信号はまた、２つのセルの間で転送される必要がある。しかしながら、キャリブレーション信号を受信するセルは第１のセルとして定義され、キャリブレーション信号を送信するセルは第２のセルとして定義される。本実施例では、受信したキャリブレーション信号の電力を調整する観点から、第１のセルにより受信されるキャリブレーション信号の電力は、最終的にはリファレンス電力に一致することが可能とされる。
【００７５】
同様に、以下の定義が更になされる必要がある。具体的に、受信動作を実行する第１のセルにおけるＲＲＵは第１のＲＲＵとして定義され、第１のＲＲＵに接続されるＢＢＵは第１のＢＢＵとして定義され、具体的に、送信動作を実行する第２のセルにおけるＲＲＵは第２のＲＲＵとして定義され、第２のＲＲＵに接続されるＢＢＵは第２のＢＢＵとして定義される。このステップの特定の実現処理は以下である。
【００７６】
キャリブレーションが必要とされるとき、第２のＢＢＵは、所定の電力で第１のＲＲＵにキャリブレーション信号を送信するよう第２のＲＲＵを制御し、キャリブレーション信号は、第２のＲＲＵに対応するアンテナを利用することによって送信され、無線インタフェースを介し送信され、最終的に第１のＲＲＵのアンテナによって受信される。それから、第１のＢＢＵは、第１のＲＲＵにより受信されるキャリブレーション信号の電力を決定し、当該電力と期待されるリファレンス電力とを比較する。当該電力が期待されるリファレンス電力と一致する場合、第１のセルは当該電力の信号を利用することによってジョイントキャリブレーションを実行可能であり、第１のＲＲＵの受信電力は調整される必要はないとみなされる。電力が期待されるリファレンス電力に一致しない場合、第１のセルは当該電力の信号を利用することによってジョイントキャリブレーションを実行できず、第１のＲＲＵの受信電力は調整される必要があるとみなされる。
【００７７】
以下は更に、具体例を利用することによって当該ステップを説明する。第２のＲＲＵがキャリブレーション信号を送信する所定の電力が４０ｄＢであり、無線インタフェースの送信処理における信号損失が７０ｄＢである（ここで、無線インタフェースの損失は２つのＲＲＵの間のアイソレーションであり、２つのＲＲＵの設置が完了した後、無線インタフェースの損失は基本的には変化しない）と仮定すると、理論的には、第１のＲＲＵにより受信されるキャリブレーション信号の電力は−３０ｄＢである。リファレンス電力が−６０ｄＢである場合、第１のＲＲＵにより受信されるキャリブレーション信号の電力とリファレンス電力との間には−３０ｄＢの差分があり、明らかに、第１のＲＲＵにより受信されるキャリブレーション信号の電力はリファレンス電力に一致しない。従って、第１のＲＲＵにより受信されるキャリブレーション信号の電力は調整される必要がある。
【００７８】
本実施例では、受信端における第１のＲＲＵは、送信端における第２のＲＲＵに判断結果をフィードバックする必要はない。電力が調整される必要があると第１のＢＢＵが判断した後、受信端は調整処理を完了し、調整されるのは、第１のＲＲＵにより受信されるキャリブレーション信号の電力である。
【００７９】
具体的には、本実現形態の信号変調方法では、受信電力が調整される必要があるか否かは、現在の送受信処理において判断され、特定の調整処理が次の送受信処理において実現される。すなわち、第２のＲＲＵが次回に第１のＲＲＵにキャリブレーション信号を送信するとき、第１のＲＲＵはまず、前の判断結果を利用することによって、第１のＲＲＵの受信電力を調整する必要があり、それから、電力がリファレンス電力に一致するか判断するため、受信したキャリブレーション信号を第１のＢＢＵに転送する。
【００８０】
本実施例におけるキャリブレーション信号は、好ましくは、ジョイントキャリブレーションを実行するのに利用されるチャネルキャリブレーション信号を参照することが留意されるべきである。この場合、第１のＲＲＵがリファレンス電力に一致するようキャリブレーション信号の電力を調整した後、以降のジョイントキャリブレーション処理は、当該信号を利用することによって直接実行されてもよく、これは、信号調整処理を最大限の程度まで簡単化することができる。
【００８１】
おそらく、本実施例の実現方式として、キャリブレーション信号はまた、通常の意味で何れかのリファレンス信号であってもよい。キャリブレーション信号がリファレンス信号である場合、第１のＲＲＵの期待を充たす受信電力を決定した後、第１のＲＲＵは更に、第１のＲＲＵにチャネルキャリブレーション信号を送信し続けるよう第２のＲＲＵに指示する必要がある。対応して、チャネルキャリブレーション信号を受信すると、第１のＲＲＵは、決定された電力を利用することによってチャネルキャリブレーション信号を受信し、チャネルキャリブレーション信号を第１のＢＢＵに転送し、チャネルキャリブレーション信号を利用することによって以降のジョイントキャリブレーション処理を実行する。
【００８２】
以下は、本実施例におけるステップ２０２において受信される信号の電力を調整する方式を説明する。
【００８３】
実施例１における電力を調整する方式と同様に、第１のＲＲＵはまた、２つの方式で受信したキャリブレーション信号の電力を調整してもよい。
【００８４】
方式１：第１のＢＢＵは、所定のステップサイズに従って、受信したキャリブレーション信号の電力がリファレンス電力に一致するまで、第１のＲＲＵにより受信されるキャリブレーション信号の電力を徐々に調整するよう第１のＲＲＵを制御し、すなわち、電力は漸進的な方式で調整され、具体的には、電力の増加又は電力の低下として実現されてもよい。
【００８５】
所定の調整ステップサイズが１０ｄＢである場合、具体例として−３０ｄＢの差分がある具体例を依然として利用することによって、特定の調整処理は以下である。
【００８６】
第２のＲＲＵが最初に第１のＲＲＵにキャリブレーション信号を送信した後、第１のＢＢＵは、第１のＲＲＵにより現在受信されたキャリブレーション信号の電力がリファレンス電力より大きく、第１のＲＲＵの受信電力が低下される必要があることを比較を通じて知るかもしれない。従って、第２のＲＲＵが２回目に第１のＲＲＵにキャリブレーション信号を送信すると、第２のＲＲＵは、受信電力を−３０ｄＢ−１０ｄＢ＝−４０ｄＢに低下させるため第１の調整を実行することを試行し始め、当該電力で受信したキャリブレーション信号を第１のＢＢＵに転送する。第１のＢＢＵは、当該電力と−６０ｄＢのリファレンス電力とを比較し続け、当該電力が依然として低下する必要があることを検出する。従って、３回目に第１のＲＲＵにキャリブレーション信号を送信するとき、第２のＲＲＵは、受信電力を−４０ｄＢ−１０ｄＢ＝−５０ｄＢに低下させるため第２の調整を実行することを試行し始める。当該処理は、受信したキャリブレーション信号の電力がリファレンス電力に一致すると第１のＢＢＵが判断するまで、繰り返し実行される。本具体例では、以降のジョイントキャリブレーションの使用要求は、第１のＲＲＵが３回の調整を実行することを試行した後に充足可能である。
【００８７】
方式２：第１のＢＢＵは、第１のＲＲＵにより受信されるキャリブレーション信号の電力とリファレンス電力との間の差分を計算し、当該差分に従って第１のＲＲＵの受信電力を調整するよう第１のＲＲＵを制御する。
【００８８】
具体例として−３０ｄＢの差分がある具体例を依然として利用することによって、第１のＢＢＵは、第１のＲＲＵにより受信されるキャリブレーション信号の電力が−３０ｄＢであると検出し、当該電力がリファレンス電力に一致しないと判断し、計算を通じてこれら２つの間の差分が−６０ｄＢ−（−３０ｄＢ）＝−３０ｄＢであることを取得する。この場合、第１のＢＢＵは、第１のＲＲＵにより受信されるキャリブレーション信号の電力がリファレンス電力に一致するように、一度に３０ｄＢだけリファレンス電力を低下させるよう第１のＲＲＵを制御する必要があり、以降のジョイントキャリブレーション処理は、当該電力の信号を利用することによって実行可能である。
【００８９】
上記の具体例は、受信電力が低下した具体例を利用することによって説明される。実際の適用では、受信電力は増加される必要があるケースがまたあってもよい。受信電力を増加する方式は電力を低下させる方式と同じであり、ここでは詳細は再説明されない。
【００９０】
具体的には、第１のＢＢＵは、減衰器を調整することによって、第１のＲＲＵにより受信されるキャリブレーション信号の電力を調整してもよいし、又は、第１のセルと第２のセルとの間の連係を利用することによって、第１のＲＲＵにより受信されるキャリブレーション信号の電力を調整してもよい。具体例として電力が−７５ｄＢだけ調整される必要がある具体例を依然として利用することによって、第１のセルの減衰器は６０ｄＢの調整範囲を有する場合、受信されるキャリブレーション信号の電力は、第１のセルの減衰器を単に調整することによって、リファレンス信号と一致させることはできない。従って、この場合、第１のセルは更に、第１のセルと連係するため、第２のセルがキャリブレーション信号を送信する電力を調整するよう第２のセルに指示すべきである。上述されるように、第２のセルは、減衰器及び／又はデジタル領域におけるベースバンド信号の電力を調整することによって、第２のセルの送信電力を調整してもよいことが留意されるべきであり、ここでは詳細は再説明されない。上述されるように、第２のセルは、所定のステップサイズに従って第２のセルの送信電力を徐々に調整してもよいし、又は、調整数値に従って一度に第２のセルの送信電力を調整してもよく、ここでは詳細は再説明されない。
【００９１】
上記の方法の実施例１及び実施例２に対応して、本発明は更に上記の方法の処理を実現するためのセルを提供する。詳細については、図３を参照されたい。セルは、１つのＢＢＵ及び少なくとも１つのＲＲＵを有し、各ＲＲＵは更に、
サービスチャネル（図に示されるサービスチャネル１）であって、ここで、サービスチャネルは外部インタフェース（図に示される外部インタフェース１）に対応し、サービスチャネルは外部インタフェースを介し他のセルのＲＲＵと通信し、さらに、サービスチャネルはサービス送信チャネル及びサービス受信チャネルを有し、ＲＲＵが送信端として使用されるとき、キャリブレーション信号はサービス送信チャネルを介し送信されてもよく、ＲＲＵが受信端として使用されるとき、キャリブレーション信号はサービス受信チャネルを介し受信されてもよい、サービスチャネルと、
電力調整モジュールであって、ここで、電力調整モジュールは何れかのＲＲＵのものである外部インタフェースとサービスチャネルとの間に直列的に接続され（図に示されるように、サービスチャネル１と外部インタフェース１との間で直列的に接続される）、すなわち、少なくとも１つのＲＲＵにおいて、電力調整モジュールが１つのＲＲＵのものである外部インタフェースとサービスチャネルとの間で直列的に接続される限り、信号調整は実施例１及び実施例２の解決策を利用することによって実行可能であり、これにより、ジョイントキャリブレーション処理の正常な実現を保証する、電力調整モジュールと、
を有してもよい。
【００９２】
電力調整モジュールの実現方式として、電力調整モジュールは、第１のスイッチ回路３０１、第２のスイッチ回路３０２及び電力調整サブモジュール３０３を有してもよく、ここで、第１のスイッチ回路は、第１のブランチ回路を形成するために第２のスイッチ回路に直接接続され、第１のスイッチ回路は、第２のブランチ回路を形成するために電力調整サブモジュールを用いて第２のスイッチ回路に接続され、第１のスイッチ回路は更にサービスチャネルに接続され、第２のスイッチ回路は更にサービスチャネルに対応する外部インタフェースに接続される。
【００９３】
この場合、チャネルキャリブレーションが実行されるとき（ここで、本発明の信号調整処理が、チャネルキャリブレーションの前提及び基礎とみなされてもよい）、キャリブレーション信号の送信又は受信は、第２のブランチ回路を利用することによって実現されてもよい。正常なサービスが実行されるとき、サービス信号の送信又は受信は、第１のブランチ回路を利用することによって実現されてもよい。第１のブランチ回路は、小さなライン損失しか有さず、信号を減衰せず、従って、正常なサービスに影響を与えない。
【００９４】
図３に示される概略図を参照して、以下は本発明の実施例１及び実施例２の実現処理を簡潔に説明する。
【００９５】
実施例１について、第１のＲＲＵは、送信端として、図３に示される新たなＲＲＵである必要があり、第２のＲＲＵは、受信端として、限定されなくてもよく、すなわち、古いＲＲＵ（電力調整モジュールを有さない）又は新たなＲＲＵの何れかが第２のＲＲＵとして利用されてもよく、本発明の信号調整処理に影響を与えない。信号調整が実行される必要があるとき、サービス送信チャネルを介し送信されるキャリブレーション信号は、電力調整サブモジュールにより調整され、それから第２のＲＲＵに送信される必要がある。
【００９６】
実施例２について、第１のＲＲＵは、受信端として、図３に示される新たなＲＲＵである必要があり、第２のＲＲＵは、送信端として、限定されなくてもよく、すなわち、古いＲＲＵ又は新たなＲＲＵの何れかが第２のＲＲＵとして利用されてもよく、本発明の信号調整処理に影響を与えない。信号調整が実行される必要があるとき、キャリブレーション信号は、電力調整サブモジュールにより調整され、それから、以降のジョイントキャリブレーション処理を実行するため、サービス受信チャネルにより受信される（ここで、キャリブレーション信号は、具体的には、チャネルキャリブレーション信号を参照する）。
【００９７】
図４を参照して、図４は、本発明による信号調整方法の実施例３のフローチャートを示す。当該方法は、第１のセルがキャリブレーション信号を送信する電力を調整するのに利用され、当該方法は以下を有する。
【００９８】
ステップ４０１：第２のセルが、第１のセルがキャリブレーション信号を送信する電力Ｐ１を取得し、第２のセルと第１のセルとの間のアイソレーションｍを計算する。
【００９９】
ステップ４０２：第２のセルが、リファレンス電力Ｐ０に従って調整数値ｎを計算し、調整数値を利用することによって、キャリブレーション信号が送信される電力を調整するよう第１のセルを制御し、ここで、ｎ＝Ｐ０−（Ｐ１−ｍ）である。
【０１００】
本実施例では、キャリブレーション信号を送信するセルは第１のセルとして定義され、キャリブレーション信号を受信するセルは第２のセルとして定義される。実施例１及び実施例２と異なって、本実施例では、信号電力は、ＲＲＵが設置された後に調整される必要があるか、又は、ＲＲＵが設置された後、信号電力を調整する方法がまず決定され、この時点では、２つのセルのＲＲＵの間の通信処理はまだ関与していないことが理解されてもよい。これは主として、第２のセルにおけるキャリブレーション信号の電力が第２のＢＢＵによる検出を通じて取得されてもよいし（ここで、実施例１及び実施例２では、２つのＲＲＵが通信するとき、電力は受信端におけるＢＢＵによる検出を通じて取得される）、又は計算を通じて取得されてもよい（すなわち、実施例３において利用される解決策）ためである。
【０１０１】
２つのデータが、計算を通じて第２のセルにより受信されるキャリブレーション信号の電力を取得する処理に関係し、一方は、第１のＲＲＵがキャリブレーション信号を送信する所定の電力Ｐ１であり、手動による入力を用いて、又は発送前にデフォルト値を設定することによって第２のＢＢＵに予め通知されてもよく、他方は、無線インタフェースの送信における損失、すなわち、２つのＲＲＵの間のアイソレーションｍであり、ここで、アイソレーションの値は基本的には、２つのＲＲＵが設置された後は変わらず、すなわち、第２のＢＢＵはまた当該データを予め知っていてもよい。このようにして、第２のＢＢＵは、これら２つのデータに従って第２のセルにおけるキャリブレーション信号の理論的な電力値Ｐ２を計算可能であり、ここで、Ｐ２＝Ｐ１−ｍであり、それから、第２のセルにより期待されるリファレンス電力Ｐ０に従って、Ｐ２からＰ０にキャリブレーション信号の電力を調整するため調整数値ｎを計算できる。２つのＲＲＵの間のアイソレーションは送信電力によって変化しないため、第２のセルのキャリブレーション信号の電力がＰ２からＰ０に調整される必要がある場合、第１のＲＲＵの送信電力は、アイソレーションを考慮する必要なく、Ｐ１から（Ｐ１−ｎ）に対応して調整される。
【０１０２】
本実施例の解決策によると、ＲＲＵが設置されるとき、調整数値ｎがまず決定され、ジョイントキャリブレーションが実行される必要があるとき、第２のＲＲＵは、第１のＲＲＵに調整数値ｎを送信し、これにより、第１のＢＢＵは、調整数値ｎに従って第１のＲＲＵの所定の電力Ｐ１を調整し、調整後に取得される電力（Ｐ１−ｎ）に従って、第２のＲＲＵにチャネルキャリブレーション信号を送信するよう第１のＲＲＵを制御する。このようにして、第２のＲＲＵにより受信されるチャネルキャリブレーション信号がリファレンス電力の要求を充たすことが保証でき、当該信号は、以降のジョイントキャリブレーション処理を実行するため直接利用可能である。
【０１０３】
２つのＲＲＵの間のアイソレーションのための等式は、アイソレーション＝−第１のＲＲＵのアンテナゲイン−第１のＲＲＵから第２のＲＲＵへのローブ指向性ゲイン−第２のＲＲＵから第１のＲＲＵへのローブ指向性ゲイン−第２のＲＲＵのアンテナゲイン＋第１のＲＲＵのアンテナと第２のＲＲＵのアンテナとの間のスペース損失、である。アンテナゲインは固定的である。ローブ指向性ゲインについて、水平方向及び垂直方向の平面におけるビーム方位がサイト上で測定される必要があり、それから、対応する指向性ゲインが、このタイプのアンテナのビーム指向性パターンに従って求められる。さらに、見通しパスがあって、ＲＲＵの間の無線インタフェース環境における散乱が基本的にないことを考慮すると、スペース損失は、フリースペース伝搬モデルに従って計算されてもよい。
【０１０４】
信号電力を調整する方法がまず設置後に決定されるこのような解決策について、電力が調整される必要がある上述した内容に加えて、調整数値が送信端に送信され、送信端におけるＢＢＵが電力を調整するようＲＲＵを制御し、調整スイッチ、調整ノブ、調整キー又は入力機能を有するタッチ画面などの調整コンポーネントが更に、調整コンポーネントを手動により調整することによって電力調整処理を実現するため、送信端におけるＲＲＵの外部に設定されてもよいことが留意されるべきである。
【０１０５】
さらに、対応して、図４に示される解決策は更に、キャリブレーション信号を送信するセルによって実行されてもよく、特定の処理は以下のように簡潔に説明されてもよい。
【０１０６】
第１に、キャリブレーション信号を送信するセルは第１のセルとして定義され、キャリブレーション信号を受信するセルは第２のセルとして定義される。第２に、第１のセルにおける第１のＢＢＵは、以下の３つのデータ、第１のＲＲＵの送信電力Ｐ１、アイソレーションｍ、及び第２のセルのリファレンス電力Ｐ０を知る必要があり、計算を通じて３つのデータに従って調整数値ｎを取得し、ここで、ｎ＝（Ｐ０＋ｍ）−Ｐ１及び（Ｐ０＋ｍ）は、第２のセルにより受信されるキャリブレーション信号がリファレンス電力を充たすとき、第１のＲＲＵの対応する送信電力を示し、第２のセルが最終的に第２のセルの期待を充たすキャリブレーション信号を受信するように、当該値に従ってＰ１を調整する。実施例３と比較して、本解決策では、ジョイントキャリブレーションが実行される必要があるとき、受信端は電力調整状態を送信端に通知する必要がなく、すなわち、送信端は、調整後に取得される電力に従って、ピア通信の必要なく、必要に応じて受信端にチャネルキャリブレーション信号を直接送信してもよく、これは、信号変調処理を簡単化する。
【０１０７】
方法の実施例１に対応して、本発明は更に信号調整装置の実施例１を提供し、ここで、当該信号調整装置は、第１のセルがキャリブレーション信号を送信する電力を調整するよう構成される。図５を参照して、当該装置は、送信ユニット５０１、受信ユニット５０２、制御ユニット５０３及び調整ユニット５０４を有し、ここで、
送信ユニットは、所定の電力で第２のセルにキャリブレーション信号を送信するよう構成され、これにより、第２のセルが、第２のセルにより受信されるキャリブレーション信号の電力がリファレンス電力に一致するか判断し、
受信ユニットは、第２のセルにより返された判断結果を受信するよう構成され、
制御ユニットは、第２のセルにより受信されたキャリブレーション信号の電力がリファレンス電力に一致しないことを受信ユニットにより受信された判断結果が示すとき、当該判断結果に従って、第２のセルにより受信されるキャリブレーション信号の電力がリファレンス電力に一致するように、送信ユニットがキャリブレーション信号を送信する電力を調整するよう調整ユニットを制御するよう構成される。
【０１０８】
本実施例では、キャリブレーション信号を送信するセルは第１のセルとして定義され、キャリブレーション信号を受信するセルは第２のセルとして定義される。第１のセルがキャリブレーション信号を送信する電力を調整する観点から、第２のセルにより受信されるキャリブレーション信号の電力は、最終的にはリファレンス電力に一致することが可能とされる。
【０１０９】
具体的には、制御ユニットが送信電力を調整するよう調整ユニットを制御する方式は、第２のセルにより返される判断結果に含まれる異なるコンテンツにより変わり、
判断結果が電力調整指示を有する場合、制御ユニットは、具体的には、電力調整指示及び所定のステップサイズに従って、第２のセルにより受信されるキャリブレーション信号の電力がリファレンス電力に一致するまで、送信ユニットがキャリブレーション信号を送信する電力を徐々に調整するよう調整ユニットを制御するよう構成され、又は、
判断結果が電力調整指示及び調整数値を有する場合、制御ユニットは、具体的には、電力調整指示及び調整数値に従って、送信ユニットがキャリブレーション信号を送信する電力を調整するよう調整ユニットを制御するよう構成される、
として実現されてもよい。
【０１１０】
上記における方法の実施例の説明から、本実施例では、送信ユニットは第１のＲＲＵのサービス送信チャネルとして実現されてもよく、受信ユニットは第１のＲＲＵのサービス受信チャネルとして実現されてもよく、制御ユニットは第１のＢＢＵとして実現されてもよく、調整ユニットは第１のＲＲＵにおける電力調整モジュールとして実現されてもよい。
【０１１１】
方法の実施例２に対応して、本発明は更に信号調整装置の実施例２を提供し、ここで、信号調整装置は、第１のセルにより受信されるキャリブレーション信号の電力を調整するよう構成される。図６を参照して、当該装置は、受信ユニット６０１、判断ユニット６０２、制御ユニット６０３及び調整ユニット６０４を有し、ここで、
受信ユニットは、第２のセルにより送信されたキャリブレーション信号を受信するよう構成され、
判断ユニットは、受信ユニットにより受信されたキャリブレーション信号の電力を測定し、電力がリファレンス電力に一致するか判断するよう構成され、
制御ユニットは、電力がリファレンス電力に一致しないと判断ユニットが判断すると、受信ユニットにより受信されるキャリブレーション信号の電力がリファレンス電力に一致するように、受信ユニットにより受信されるキャリブレーション信号の電力を調整するよう調整ユニットを制御するよう構成される。
【０１１２】
本実施例では、キャリブレーション信号を送信するセルは第２のセルとして定義され、キャリブレーション信号を受信するセルは第１のセルとして定義される。受信したキャリブレーション信号の電力を調整する観点から、第１のセルにより受信されるキャリブレーション信号の電力は、最終的にはリファレンス電力に一致することが可能とされる。
【０１１３】
具体的には、制御ユニットが受信電力を調整するよう調整ユニットを制御する方式は、以下の２つの方式、
制御ユニットは、具体的には、所定のステップサイズに従って、受信ユニットにより受信されるキャリブレーション信号の電力がリファレンス電力に一致するまで、受信ユニットにより受信されるキャリブレーション信号の電力を徐々に調整するよう調整ユニットを制御するよう構成されるか、又は、
制御ユニットは、具体的には、受信ユニットにより受信されたキャリブレーション信号の電力とリファレンス電力との間の差分を計算し、差分に従って、受信ユニットにより受信されるキャリブレーション信号の電力を調整するよう調整ユニットを制御するよう構成される、
として実現されてもよい。
【０１１４】
上記における方法の実施例の説明から、本実施例では、受信ユニットは、第１のＲＲＵのサービス受信チャネルとして実現されてもよく、判断ユニットと制御ユニットとの双方が第１のＢＢＵとして実現されてもよく、調整ユニットは第１のＲＲＵにおける電力調整モジュールとして実現されてもよいことが知られてもよい。
【０１１５】
方法の実施例３に対応して、本発明は更に信号調整装置の実施例３を提供し、ここで、信号調整装置は、第１のセルがキャリブレーション信号を送信する電力を調整するよう構成される。図７に示されるように、当該装置は、
第１のセルがキャリブレーション信号を送信する電力Ｐ１を取得するよう構成される取得ユニット７０１と、
第２のセルと第１のセルとの間のアイソレーションｍを計算するよう構成される計算ユニット７０２と、
リファレンス電力Ｐ０に従って調整数値ｎを計算し、調整数値を利用することによって、キャリブレーション信号が送信される電力を調整するよう第１のセルを制御するよう構成され、ここで、ｎ＝Ｐ０−（Ｐ１−ｍ）である、値調整ユニット７０３と、
を有する。
【０１１６】
本実施例では、キャリブレーション信号を送信するセルは第１のセルとして定義され、キャリブレーション信号を受信するセルは第２のセルとして定義される。実施例１及び実施例２と異なり、本実施例では、ＲＲＵが設置された後に信号電力が調整されるか、又は、ＲＲＵが設置された後、信号電力を調整する方法がまず決定され、この時点では、２つのセルのＲＲＵの間の通信処理はまだ関与していないことが理解されてもよい。本実施例の解決策において、受信端におけるキャリブレーション信号の電力は計算を通じて取得され、実施例１及び実施例２において、受信端におけるキャリブレーション信号の電力は検出を通じて取得される。
【０１１７】
本実施例の解決策によると、ＲＲＵが設置されると、調整数値ｎがまず決定され、ジョイントキャリブレーションが実行される必要があるとき、第２のＲＲＵは、第１のＲＲＵに調整数値ｎを送信し、これにより、第１のＢＢＵは、調整数値ｎに従って、第１のＲＲＵの所定の電力Ｐ１を調整し、調整後に取得される電力（Ｐ１−ｎ）に従って第２のＲＲＵにキャリブレーション信号（ここで、キャリブレーション信号は、具体的には、チャネルキャリブレーション信号として実現される）を送信するよう第１のＲＲＵを制御する。このようにして、第２のＲＲＵにより受信されるキャリブレーション信号がリファレンス電力の要求を充たすことが保証でき、当該信号は、以降のジョイントキャリブレーション処理を実行するのに直接利用可能である。
【０１１８】
同様に、対応して、当該装置の実施例３の解決策がまた、キャリブレーション信号の送信端によって実現されてもよく、すなわち、第１のセルの送信電力を調整する装置が提供され、ここで、当該装置は、
第２のセルのリファレンス電力Ｐ０を取得するよう構成される取得ユニットと、
第１のセルと第２のセルとの間のアイソレーションｍを計算するよう構成される計算ユニットと、
第１のセルの送信電力Ｐ１に従って調整数値ｎを計算し、当該調整数値を利用することによって、キャリブレーション信号が送信される電力を調整するよう第１のセルを制御するよう構成され、ここで、ｎ＝（Ｐ０＋ｍ）−Ｐ１である、値調整ユニットと、
を有する。
【０１１９】
本実施例では、キャリブレーション信号を送信するセルは第１のセルとして定義され、キャリブレーション信号を受信するセルは第２のセルとして定義される。実施例３と比較して、本実施例の解決策では、ジョイントキャリブレーションが実行される必要があるとき、受信端は送信端に電力調整状態を通知する必要はなく、すなわち、送信端は、調整後に取得される電力に従って、ピア通信の必要なく、必要に応じて受信端にチャネルキャリブレーション信号を直接送信してもよく、これは、信号変調処理を簡単化する。
【０１２０】
さらに、本発明の実施例は更に、信号調整装置のハードウェア構成を提供する。ハードウェア構成は、少なくとも１つのプロセッサ（ＣＰＵなど）、少なくとも１つのネットワークインタフェース又は他の通信インタフェース、メモリ、及びこれらの装置の間の接続及び通信を実現するよう構成される少なくとも１つの通信バスを有してもよい。プロセッサは、メモリに記憶されるコンピュータプログラムなどの実行可能なモジュールを実行するよう構成される。メモリは、高速ランダム・アクセス・メモリ（ＲＡＭ：Ｒａｎｄｏｍ  Ａｃｃｅｓｓ  Ｍｅｍｏｒｙ）を有してもよく、また、少なくとも１つの磁気ディスクストレージなどの不揮発性メモリ（ｎｏｎ−ｖｏｌａｔｉｌｅ  ｍｅｍｏｒｙ）を有してもよい。システムゲートウェイと少なくとも１つの他のネットワーク要素との間の通信及び接続は、少なくとも１つのネットワークインタフェース（有線又は無線であってもよい）を利用することによって実現され、インターネット、ワイド・エリア・ネットワーク、ローカルネットワーク、メトロポリタン・エリア・ネットワークなどが利用されてもよい。
【０１２１】
図８を参照して、いくつかの実現方式では、メモリはプログラム命令を記憶し、当該プログラム命令はプロセッサにより実行されてもよく、ここで、当該プログラム命令は、送信ユニット５０１、受信ユニット５０２、制御ユニット５０３及び調整ユニット５０４を有する。これらのユニットの特定の実現形態について、図５に開示される対応するユニットを参照されたい。
【０１２２】
図９を参照して、いくつかの実現方式では、メモリはプログラム命令を記憶し、当該プログラム命令はプロセッサにより実行されてもよく、ここで、当該プログラム命令は、受信ユニット６０１、判断ユニット６０２、制御ユニット６０３及び調整ユニット６０４を有する。これらのユニットの特定の実現形態について、図６に開示される対応するユニットを参照されたい。
【０１２３】
図１０を参照して、いくつかの実現方式では、メモリはプログラム命令を記憶し、当該プログラム命令はプロセッサにより実行されてもよく、ここで、当該プログラム命令は、取得ユニット７０１、計算ユニット７０２及び値調整ユニット７０３を有する。これらのユニットの特定の実現形態について、図７に開示される対応するユニットを参照されたい。
【０１２４】
本発明における解決策は、例えば、プログラムユニットなど、コンピュータにより実行される実行可能なコンピュータ命令の通常の文脈で説明できる。通常、プログラムユニットは、特定のタスクを実行するか、又は特定の抽象的なデータタイプを実現するためのルーチン、プログラム、オブジェクト、コンポーネント、データ構造などを有する。本発明における解決策はまた、通信ネットワークを利用することによって接続されるリモート処理装置によりタスクが実行される分散計算環境において実施されてもよい。分散計算環境では、プログラムユニットは記憶装置を含むローカルとリモートとの双方のコンピュータ記憶媒体に配置されてもよい。
【０１２５】
本明細書における実施例は全て漸進的な方式で説明され、実施例における同一又は類似する部分について、これらの実施例を参照されたく、各実施例は他の実施例との相違に着目する。特に、装置の実施例は基本的には方法の実施例に類似し、従って、簡潔に説明され、関連する部分については、方法の実施例における部分的な説明を参照されたい。説明される装置の実施例は単なる一例である。別々の部分として説明されるユニットは物理的に別々であってもよいし、又はなくてもよく、ユニットとして表示される部分は物理的ユニットであってもよいし、又はなくてもよく、１つの位置に配置されてもよいし、又は複数のネットワークユニット上に分散されてもよい。モジュールの一部又は全ては、実施例の解決策の課題を実現するため実際の要求に従って選択されてもよい。当業者は、創造的な努力なく本発明の実施例を理解及び実現してもよい。
【０１２６】
本発明の実施例が詳細に上述された。本明細書では、特定の実現方式が本発明を説明するため利用され、実施例の説明は本発明の方法及び装置を理解することを助けることしか意図していない。一方、当業者は、本発明のアイデアに基づき、特定の実現方式及び適用範囲に改良を行ってもよい。従って、本明細書の内容は、本発明に対する限定として解釈されるべきでない。
【図１】
2016518093.tif 000003
【図２】
2016518093.tif 000004
【図３】
2016518093.tif 000005
【図４】
2016518093.tif 000006
【図５】
2016518093.tif 000007
【図６】
2016518093.tif 000008
【図７】
2016518093.tif 000009
【図８】
2016518093.tif 000010
【図９】
2016518093.tif 000011
【図１０】
2016518093.tif 000012
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
第１のセルにおける第１のラジオ・リモート・ユニット（ＲＲＵ）がキャリブレーション信号を送信する電力を調整するのに利用される信号調整方法であって、当該方法は、
前記第１のＲＲＵが、所定の電力で第２のセルにおける第２のＲＲＵにキャリブレーション信号を送信するステップであって、前記キャリブレーション信号は、前記第２のＲＲＵにより受信される前記キャリブレーション信号の電力がリファレンス電力に一致するか前記第２のセルにおける第２のベース・バンド・ユニット（ＢＢＵ）が判断するのに利用される、送信するステップと、
前記第１のＲＲＵが、前記第２のＲＲＵにより返された判断結果を受信し、前記第２のＲＲＵにより受信された前記キャリブレーション信号の電力が前記リファレンス電力に一致しないことを前記判断結果が示すとき、前記判断結果に従って、前記第２のＲＲＵにより受信される前記キャリブレーション信号の電力が前記リファレンス電力に一致するように、前記キャリブレーション信号が送信される電力を調整するステップと、
を有する方法。
【請求項２】
前記第１のＲＲＵが、前記第２のＲＲＵにより返された判断結果を受信し、前記判断結果に従って、前記キャリブレーション信号が送信される電力を調整するステップは、
前記第１のＲＲＵが、前記判断結果を受信し、前記第１のセルにおける第１のＢＢＵが、前記判断結果に従って、前記キャリブレーション信号が送信される電力を調整するよう前記第１のＲＲＵを制御するステップを有する、請求項１記載の方法。
【請求項３】
前記判断結果が電力調整指示を有する場合、前記判断結果に従って、前記キャリブレーション信号が送信される電力を調整するステップは、
前記第１のＲＲＵが、前記電力調整指示及び所定のステップサイズに従って、前記第２のＲＲＵにより受信される前記キャリブレーション信号の電力が前記リファレンス電力に一致するまで、前記第１のＢＢＵの制御の下で前記キャリブレーション信号が送信される電力を徐々に調整するステップを有する、請求項１又は２記載の方法。
【請求項４】
前記判断結果が電力調整指示及び調整数値を有する場合、前記判断結果に従って、前記キャリブレーション信号が送信される電力を調整するステップは、
前記第１のＲＲＵが、前記電力調整指示及び前記調整数値に従って、前記第１のＢＢＵの制御の下で前記キャリブレーション信号が送信される電力を調整するステップを有する、請求項１又は２記載の方法。
【請求項５】
前記第１のＲＲＵが、前記キャリブレーション信号が送信される電力を調整する方式は、
減衰器を利用することによって、前記キャリブレーション信号が送信される電力を調整すること、及び／又は、デジタル領域におけるベースバンド信号を利用することによって、前記キャリブレーション信号が送信される電力を調整することである、請求項１乃至４何れか一項記載の方法。
【請求項６】
第１のセルにおける第１のラジオ・リモート・ユニット（ＲＲＵ）により受信されるキャリブレーション信号の電力を調整するのに利用される信号調整方法であって、当該方法は、
前記第１のＲＲＵが、第２のセルにおける第２のＲＲＵにより送信されたキャリブレーション信号を受信するステップと、
前記第１のセルにおける第１のベース・バンド・ユニット（ＢＢＵ）が、前記受信したキャリブレーション信号の電力を測定し、前記電力がリファレンス電力に一致するか判断し、前記電力が前記リファレンス電力に一致しない場合、前記第１のＲＲＵにより受信される前記キャリブレーション信号の電力が前記リファレンス電力に一致するように、前記第１のＲＲＵにより受信される前記キャリブレーション信号の電力を調整するよう前記第１のＲＲＵを制御するステップと、
を有する方法。
【請求項７】
前記第１のＲＲＵにより受信される前記キャリブレーション信号の電力を調整することは、
前記第１のＲＲＵが、所定のステップサイズに従って、前記第１のＲＲＵにより受信される前記キャリブレーション信号の電力が前記リファレンス電力に一致するまで、前記第１のＢＢＵの制御の下で前記第１のＲＲＵにより受信される前記キャリブレーション信号の電力を徐々に調整するステップを有する、請求項６記載の方法。
【請求項８】
前記第１のＲＲＵにより受信される前記キャリブレーション信号の電力を調整することは、
前記第１のＢＢＵが、前記受信したキャリブレーション信号の電力と前記リファレンス電力との間の差分を計算し、前記第１のＲＲＵが、前記差分に従って、前記第１のＢＢＵの制御の下で前記第１のＲＲＵにより受信される前記キャリブレーション信号の電力を調整するステップと有する、請求項６記載の方法。
【請求項９】
前記第１のＲＲＵにより受信される前記キャリブレーション信号の電力を調整する方式は、
減衰器を利用することによって、前記受信したキャリブレーション信号の電力を調整することである、請求項６乃至８何れか一項記載の方法。
【請求項１０】
第１のセルにおける第１のラジオ・リモート・ユニット（ＲＲＵ）がキャリブレーション信号を送信する電力を調整するよう構成される信号調整装置であって、当該装置は、送信ユニット、受信ユニット、制御ユニット及び調整ユニットを有し、
前記送信ユニットは、所定の電力で第２のセルにおける第２のＲＲＵにキャリブレーション信号を送信するよう構成され、前記キャリブレーション信号は、前記第２のＲＲＵにより受信される前記キャリブレーション信号の電力がリファレンス電力に一致するか前記第２のセルにおける第２のベース・バンド・ユニット（ＢＢＵ）が判断するのに利用され、
前記受信ユニットは、前記第２のＲＲＵにより返された判断結果を受信するよう構成され、
前記制御ユニットは、前記第２のＲＲＵにより受信された前記キャリブレーション信号の電力が前記リファレンス電力に一致しないことを前記受信ユニットにより受信された前記判断結果が示すとき、前記判断結果に従って、前記第２のＲＲＵにより受信される前記キャリブレーション信号の電力が前記リファレンス電力に一致するように、前記送信ユニットが前記キャリブレーション信号を送信する電力を調整するよう前記調整ユニットを制御するよう構成される装置。
【請求項１１】
前記判断結果が電力調整指示を有する場合、
前記制御ユニットは、前記電力調整指示及び所定のステップサイズに従って、前記第２のＲＲＵにより受信される前記キャリブレーション信号の電力が前記リファレンス電力に一致するまで、前記送信ユニットが前記キャリブレーション信号を送信する電力を徐々に調整するよう前記調整ユニットを制御するよう構成される、請求項１０記載の装置。
【請求項１２】
前記判断結果が電力調整指示及び調整数値を有する場合、
前記制御ユニットは、前記電力調整指示及び前記調整数値に従って、前記送信ユニットが前記キャリブレーション信号を送信する電力を調整するよう前記調整ユニットを制御するよう構成される、請求項１０記載の装置。
【請求項１３】
第１のセルにおける第１のラジオ・リモート・ユニット（ＲＲＵ）により受信されるキャリブレーション信号の電力を調整するよう構成される信号調整装置であって、当該装置は、受信ユニット、判断ユニット、制御ユニット及び調整ユニットを有し、
前記受信ユニットは、第２のセルにおける第２のＲＲＵにより送信されたキャリブレーション信号を受信するよう構成され、
前記判断ユニットは、前記受信ユニットにより受信された前記キャリブレーション信号の電力を測定し、前記電力がリファレンス電力に一致するか判断するよう構成され、
前記制御ユニットは、前記電力が前記リファレンス電力に一致しないと前記判断ユニットが判断すると、前記受信ユニットにより受信される前記キャリブレーション信号の電力が前記リファレンス電力に一致するように、前記受信ユニットにより受信される前記キャリブレーション信号の電力を調整するよう前記調整ユニットを制御するよう構成される装置。
【請求項１４】
前記制御ユニットは、所定のステップサイズに従って、前記受信ユニットにより受信される前記キャリブレーション信号の電力が前記リファレンス電力に一致するまで、前記受信ユニットにより受信される前記キャリブレーション信号の電力を徐々に調整するよう前記調整ユニットを制御するよう構成される、請求項１３記載の装置。
【請求項１５】
前記制御ユニットは、前記受信ユニットにより受信されたキャリブレーション信号の電力と前記リファレンス電力との間の差分を計算し、前記差分に従って、前記受信ユニットにより受信される前記キャリブレーション信号の電力を調整するよう前記調整ユニットを制御するよう構成される、請求項１３記載の装置。
【請求項１６】
請求項１乃至９何れか一項記載の方法をコンピュータに実行させるプログラム。
【国際調査報告】
2016518093.tif 000013
2016518093.tif 000014
2016518093.tif 000015
2016518093.tif 000016